(57)【特許請求の範囲】
【請求項１】
被免震物が固定される上ベースと、床面に配置される下ベースと、上下ベースが水平方向に相対動することを許容するために当該上下ベースの間に介在させた複数個のボールと、前記上下ベースを相対動不能に保持するロック装置とを備えており、前記ロック装置は、上下ベースの間の空間から人手で操作可能になっている免震台であって、
前記ロック装置は、上ベースに設けた上係合穴に下方から嵌まる上ねじ部材と、下ベースに設けた雌ねじ穴に上方からねじ込まれる下ねじ部材とを備えており、これら上ねじ部材と下ねじ部材とを互いに螺合させるか又は摺動自在に嵌め合わせることによってロック装置の伸縮が許容されており、両部材が螺合している場合は上ねじ部材は上ベースの係合穴に摺動自在に嵌まるようになっている一方、両部材が摺動自在に嵌まり合っている場合は上ねじ部材は上ベースの係合穴にねじ込まれるようになっており、
更に、ロック装置は、下ねじ部材を下ベースにねじ込んで上ねじ部材を上ベースの係合穴に嵌め込んだ伸び状態と、上下ベースの間から取外しできる縮み状態とに伸縮できるように設定されている、
免震台。
【請求項２】
被免震物が固定される上ベースと、床面に配置される下ベースと、上下ベースが水平方向に相対動することを許容するために当該上下ベースの間に介在させた複数個のボールと、前記上下ベースを相対動不能に保持するロック装置とを備えており、前記ロック装置は、上下ベースの間の空間から人手で操作可能になっている免震台であって、
前記ロック装置は、下ベースに上下動自在にねじ込んだねじ筒と、このねじ筒の雌ねじ穴にねじ込まれたボルトとを備えており、ボルトは上ベースに下方からねじ込み可能となっており、かつ、ねじ筒及びボルトは上下ベースが相対動するに際して上ベースと干渉しない高さまで下降させ得るように設定されている、
免震台。
【発明の詳細な説明】
【０００１】
【発明の属する技術分野】
本発明は、持ち運びできる免震台（免震装置）に関するものである。
【０００２】
【従来の技術】
免震台はその用途に応じて様々の種類があり、例えば美術品や博物品を展示する展示ケース用の免震台のような家具類や什器類に使用する免震台は、上ベースと下ベースとがセットになっている。
【０００３】
これらの免震台は、工場で製造してから出荷することになる。また、場合によっては、被免震物を上ベースに固定した状態で出荷することもある。いずれにしても、運搬段階で上下ベースが相対動しないように保持しておく必要がある。
【０００４】
また、例えば展示ケース用の免震台においては、展示ケースの位置を変更するに際して、展示ケースを上ベースに固定した状態のまま、上下ベースが相対動しないように保持しておく必要がある。
【０００５】
そして、従来は、免震台を段ボール箱や木箱などに収納したり、紐を十字にかけたりして出荷することにより、運搬段階で上下ベースが相対動することを防止することが一般的であった。
【０００６】
【発明が解決しようとする課題】
しかし、従来は、いったん包装を解いてしまうと上下ベースが相対動可能な状態になるため、被免震物を免震台に取り付けてから使用場所に移動させたり、被免震物の設置場所を変更したりするときに被免震物が横ずれしやすくなる。
【０００７】
このため、従来は、被免震物を取付けた状態で移動・運搬するに際しては、被免震物が横ずれしないようにこれを人が押さえておかねばならず、このため、運搬・移動の作業に多くの人手が掛かると共に危険であるという問題があった。
【０００８】
本発明は、この問題を改善することを技術的課題とするものである。
【０００９】
【課題を解決するための手段】
前記課題は、各請求項に記載した発明によって解決される。各請求項に共通した構成として、免震台は、被免震物が固定される上ベースと、床面に配置される下ベースと、上下ベースが水平方向に相対動することを許容するために当該上下ベースの間に介在させた複数個のボールと、前記上下ベースを相対動不能に保持するロック装置とを備えており、前記ロック装置は、上下ベースの間の空間から人手で操作可能になっている。
【００１０】
そして、請求項１の発明に係るロック装置は、上ベースに設けた上係合穴に下方から嵌まる上ねじ部材と、下ベースに設けた雌ねじ穴に上方からねじ込まれる下ねじ部材とを備えており、これら上ねじ部材と下ねじ部材とを互いに螺合させるか又は摺動自在に嵌め合わせることによってロック装置の伸縮が許容されており、両部材が螺合している場合は上ねじ部材は上ベースの係合穴に摺動自在に嵌まるようになっている一方、両部材が摺動自在に嵌まり合っている場合は上ねじ部材は上ベースの係合穴にねじ込まれるようになっており、更に、ロック装置は、下ねじ部材を下ベースにねじ込んで上ねじ部材を上ベースの係合穴に嵌め込んだ伸び状態と、上下ベースの間から取外しできる縮み状態とに伸縮できるように設定されている。
【００１１】
請求項２の発明に係るロック装置は、下ベースに上下動自在にねじ込んだねじ筒と、このねじ筒の雌ねじ穴にねじ込まれたボルトとを備えており、ボルトは上ベースに下方からねじ込み可能となっており、かつ、ねじ筒及びボルトは上下ベースが相対動するに際して上ベースと干渉しない高さまで下降させ得るように設定されている。
【００１２】
【００１３】
【００１４】
【発明の作用・効果】
本発明によると、上ベースに被免震物を固定した状態で運搬・移動するに際しては、ロック装置を操作して上下ベースを相対動不能に保持しておき、所定の位置にセットしたらロックを解除すれば良い。
【００１５】
そして、運搬・移動に際しての被免震物の横ずれを防止できるため、免震台付きの被免震物を、少ない人手で安全に運搬・移動することができる。
【００１６】
請求項１のようにロック装置を伸縮式に構成すると、上下ベースの間の空間から操作することにより、上下ベースを簡単にロック状態とすることができ、また、ロック装置は取り外せるため、免震台の使用に際してロック装置が障害になることは全くない。
【００１７】
【００１８】
【発明の実施形態】
次に、本発明の実施形態を図面に基づいて説明する。
【００１９】
(1).第１実施形態（図１〜図６）
図１〜図６では第１実施形態を示している。このうち図１は使用状態の一例を示す外観斜視図であり、本実施形態では、美術品類を展示するための展示ケース１に使用している。
【００２０】
図２は分離斜視図であり、この図に示すように、展示ケース１の台部分は、コーナー部に配置した支柱２と、隣り合った支柱２の下端間及び上端間に連結した水平フレーム３とで骨組みを構成し、周囲に化粧板（カバー）４を張った構造になっている。化粧板４は下水平フレーム３よりも下方に延びており、その下端縁を内側に折り返している（折り返し部を符号４ａで示す）。
【００２１】
図２では、展示ケース１における台部分の全周を化粧板４で覆った状態を表示しているが、図１に示すように、一般には、配線作業やメンテナンスのため、或いは、内部を物品の収納部に利用したりするため、四面のうち一面又は複数の面に扉５を設けている。扉５を設ける場合、水平回動式、引戸式、着脱式など様々の態様を選択できる。
【００２２】
免震台６は、上ベース７と下ベース８、上下ベース７，８の間に配置した４個のボール９とを備えている。以下、図３以下の図面も参照して具体的構成を説明する。図３は図１の III-III視平断面図、図４は図３のIV−IV視断面図、図５は図３の V-V断面図である。
【００２３】
上ベース７は、適当な厚さの鉄板から成る上基板１０と、その下面に固着した４枚の上受け板１１とを備えており、上基板１０の周囲には上カバー１２を取付けている。図３及び図４に示すように、展示ケース１の下水平枠３は上基板１０にねじ１３で固定されている。
【００２４】
例えば図４に示すように、展示ケース１における化粧板４の折り返し部４ａを上カバー１２に重ねている。従って、本実施形態では、上ベース７は展示ケース１の下部に隠れている。なお、上カバー１２は必ずしも必要ない。
【００２５】
上受け板１１の下面は下向き凹の曲面になっており、これがボール９に載っている。４個のボール９は、リテーナ１４によって相対位置が一定となるように保持されている。
【００２６】
下ベース８は、鉄板製の下基板１６と、前記上受け板１１に対応して下基板１６の上面に固着した４枚の下受け板１７と、下基板１６の下面に溶接又はねじ止めによって固着した補強フレーム１８と、下基板１６及び補強フレーム１８を囲う下カバー１９，２０とを備えている。
【００２７】
補強フレーム１８は下基板１６の左右両側部と中央部とに配置されており、互いに平行に延びている。各補強フレーム１８にはアジャスターボルト２１を下方からねじ込んでいる。補強フレーム１８は、下基板１６と床との間にある程度の空間を空けるためのスペーサの機能も果しており、図２や図５に示すように、下基板１６の下方に、手動式のパレットトラック（ハンドリフター）２２のフォーク２２ａが入る空間が空くように設定している。もちろん、フォークリフトのフォークも入り得る。図５の符号２２ｂはパレットトラックの車輪である。
【００２８】
上下ベース７，８の間の空間のうち対角に位置した２ヵ所に、ねじ式のロック装置２３を配置している。図５に示すように、ロック装置２３は、下部に六角部を備えた両切りボルト２４と、両切りボルト２４に上方からねじ込んだ円筒状ナット２５とから成っている。両切りボルト２４は請求項１に記載した下ねじ部材であり、円筒状ナット２５は請求項１に記載した上ねじ部材である。
【００２９】
他方、下基板１６に、両切りボルト２４の下部がねじ込まれる雌ねじ穴２６を形成し、上基板１０には、係合穴の例として、円筒状ナット２５が嵌まり得る丸穴２７を空けている。
【００３０】
図６（Ａ）（Ｂ）に示すように、円筒状ナット２５を両切りボルト２４にねじ込み切ると、ロック手段２３の全体の長さが上下ベース７，８の間隔よりも小さくなる一方、図５に示すように、両切りボルト２４を下基板１６にねじ込んだ状態で円筒状ナット２５をねじ戻すと、ロック装置２３の全体が伸びて、円筒状ナット２５が上基板１０の丸穴２７に嵌まる。
【００３１】
下基板１６における下カバー１９，２０のうち、ロック装置２３の配置箇所で挟まれて隣合った２つの辺の箇所の下カバー２０は着脱式となっており、他の二辺の箇所の下カバー１９は下基板１６及び補強フレーム１８に固定されている（四辺のカバーをすべて着脱式としても良い）。
【００３２】
着脱式の下カバー２０は、例えば、当該下カバー２０に爪を切り起こす一方、下基板１６及び補強フレーム１８には係合穴を設けて、前記爪を係合穴に嵌め込むなどの係合手段により、下基板１６及び補強フレーム１８に自在に着脱することができる。図５に一点鎖線で示すように、下カバー２０を床面の近くまで延ばしてもよい。
【００３３】
なお、免震台には、上下ベースの相対動方向を規制するためのガイド手段や、軽い力では上下ベースが相対動しないように保持するダンパ手段など、他の機構を付加しても良いことは言うまでもない。
【００３４】
上述の説明から理解できるように、免震台６を取付けた状態で展示ケース１を運搬・移動する場合は、下カバー２０を取り外しておいてから、ロック装置２３を取り付けることによって上下ベース７，８を横ずれ不能とし、その状態で、パレットトラック２２で持ち上げて移動させれば良い。所定の位置にセットしたら、ロック装置２３を取り外してから下カバー２０を取り付ければ良い。
【００３５】
ところで、免震台付きの被免震物を移動させる手段として、被免震物を囲うように高く延びる枠を備えた台車を利用して、免震物にワイヤーを掛けてこれを枠にチェンブロックなどで吊り上げて移動するものがあるが、これでは専用の台車が必要であるため不経済である。
【００３６】
これに対して本実施形態のように、下基板１６と床との間にパレットトラック２２のフォーク２２ａが入る空間を設けると、パレットの移動などに広く使用されているパレットトラックを使用できるため経済的であり、また、フォーク２２ａは下ベース８に一方向から挿脱するものであるため、被免震物を並設することを簡単に行える。更に、フォーク２２ａの抜き差し箇所は着脱式の下カバー２０で覆われるため、被免震物の使用状態で美観を損なうこともない。
【００３７】
この場合、必ずしも補強フレーム１８は必要なく、アジャスターボルト２１を下基板１６に直接にねじ込むことにより、下基板１６と床との間に所定の空間を空けることも可能である。
【００３８】
ロック装置２３は複数箇所に設ける必要がある（１ヶ所では上下ベースが相対的に水平回動する可能性がある）。また、できるだけ手間を省いて的確に横ずれを防止するためには、対角箇所など、中心を挟んだ２ヵ所にロック装置２３を設けるのが好ましい）。
【００３９】
(2).第２実施形態（図７）
図７では第２実施形態を示している。この実施形態では、ロック手段２３は、六角部の下方を雄ねじとしたロッド２８と、このロッド２８に上方から摺動自在に被嵌した円筒型ボルト２９とで構成されている。ロッド２８が請求項１の下ねじ部材に該当し、円筒型ボルト２９が上ねじ部材に該当する。
【００４０】
ロッド２８の上端に大径の頭２８ａをねじ込み等によって固着している一方、円筒型ボルト２９の内径は、ロッド２８の頭２８ａが抜け不能となるように段違い状になっている。円筒型ボルト２９の下端には、スパナ（図示せず）を嵌めるための六角部（或いは四角部）２９ａを形成している。
【００４１】
この実施形態では、ロッド２８を下基板１６にねじ込み固定してから、円筒型ボルト２９を上基板１０の雌ねじ穴３０にねじ込むと、上下ベース７，８は横ずれ不能に保持される。
【００４２】
(3).第３実施形態（図８）
図８では第３実施形態を示している。この第３実施形態では、ロック装置２３は、内周面及び外周面にねじを形成したねじ筒３１と、ねじ筒３１の雌ねじ穴にねじ込んだボルト３２とを備えており、それらにロックナット３３，３４をねじ込んでいる。
【００４３】
ねじ筒３１は下基板１６の雌ねじ穴２６にねじ込まれている。上基板１０には、ボルト３２がねじ込まれる雌ねじ穴３０を形成している。この実施形態では、ロック装置２３を不使用時には、ねじ筒３１を下限までねじ込んでロックナット３３でロックし、更に、ボルト３２を下限までねじ込んでロックナット３４でロックしておけば良く、一々ロック装置２３を取り外す必要はない。
【００４４】
【００４５】
【００４６】
(4).第４実施形態（図９）
図９に示す第４実施形態では、免震台６の一辺の両端部にロック手段２３を設けている。このようにすると、手前側から２つのロック装置２３を操作できるので、複数の展示ケース１を左右に重ねた状態で設置する場合に都合が良い。
【００４７】
【００４８】
【００４９】
(5).その他
本発明は上記の実施形態の他にも様々に具体化できる。例えば、上ベースにカバーを設けている場合、当該上ベースのカバーを着脱式としてもよい。
【００５０】
また、本発明は展示ケースのみでなく、他の様々の什器類・装置類の免震に適用できる。
【図面の簡単な説明】
【図１】第１実施形態の免震台を使用した展示ケースの斜視図である。
【図２】免震台の分離斜視図である。
【図３】図１の III-III視平断面図である。
【図４】図３のIV−IV視断面図である。
【図５】図３の V-V断面図である。
【図６】使用方法の説明図である。
【図７】第２実施形態を示す図である。
【図８】第３実施形態を示す図である。
【図９】第４実施形態を示す図である。
【符号の説明】
１  被免震物の一例としての美術品類用展示ケース
６  免震台
７  上ベース
８  下ベース
９  ボール
１０  上基板
１６  下基板
２０  下カバー
２３  ロック手段
２４  両切りボルト（下ねじ部材）
２５  円筒状ナット（上ねじ部材）
２６  雌ねじ穴
２７  丸穴
２８  ロッド（下ねじ部材）
２９  円筒型ボルト（上ねじ部材）
３０  雌ねじ穴
３１  ねじ筒
３２  ボルト
【図１】
0003776698.tif 000002
【図２】
0003776698.tif 000003
【図３】
0003776698.tif 000004
【図４】
0003776698.tif 000005
【図５】
0003776698.tif 000006
【図６】
0003776698.tif 000007
【図７】
0003776698.tif 000008
【図８】
0003776698.tif 000009
【図９】
0003776698.tif 000010